(57)【要約】      （修正有）【課題】  ディスク収納ケースにおいて、ディスクトレイとこれが嵌め込まれるケース半体との間に介挿されるインデックスの出入を簡易に実施できるディスク収納ケースを提供する。【解決手段】  ディスク収納ケース１は、ディスクトレイ１０と、ディスクトレイ１０を収容する一対のケース半体２０、３０とを備え、ディスクトレイ１０が嵌め込まれるケース半体３０とディスクトレイ１０との間にインデックス４２が介挿されるものであり、一対のケース半体２０、３０の連結側及び／又は連結側と反対側の端部に、少なくともインデックス出入時に開口するインデックス出入口５０が設けられ、ディスクトレイ１０及び／又はディスクトレイ１０が嵌め込まれるケース半体３０に、インデックス４２に指等を接触させて、インデックス４２を出入するための接触用開口部５１が設けられている。【選択図】  図１
2006240737.tif 000002
【特許請求の範囲】
【請求項１】
記録媒体ディスクを着脱自在に保持するディスクトレイと、該ディスクトレイを収容する、一端部同士が互いに連結され、開閉自在な一対のケース半体とを備え、該一対のケース半体のうち少なくとも一方に前記ディスクトレイが嵌め込まれ、該ケース半体と該ディスクトレイとの間に、カード状又はブックレット状のインデックスが介挿されるディスク収納ケースにおいて、
前記一対のケース半体の前記一端部及び／又は他端部に、少なくともインデックス出入時に開口するインデックス出入口が設けられ、
前記ディスクトレイ及び／又は前記ディスクトレイが嵌め込まれる前記ケース半体に、前記インデックスに指又はインデックス摺動用部材を接触させて、該インデックスを出入するための接触用開口部が設けられたことを特徴とするディスク収納ケース。
【請求項２】
前記一対のケース半体のうち少なくとも一方は、前記一端部及び／又は前記他端部に側壁を有するものであり、前記インデックス出入口が該側壁に設けられたスリットであることを特徴とする請求項１に記載のディスク収納ケース。
【請求項３】
前記インデックスは、前記ケース半体の主面に対向配置される主インデックス部と、前記側壁に対向配置される副インデックス部とを有する折曲状インデックスであり、前記副インデックス部が前記スリットから引き出され、前記側壁の外面に沿って配設されたことを特徴とする請求項２に記載のディスク収納ケース。
【請求項４】
前記ディスクトレイに前記接触用開口部が設けられたものであり、
前記ディスクトレイは、前記記録媒体ディスクが嵌め込まれて収容される略円盤状のディスク収容凹部と、該ディスク収容凹部の外側に延在する張出部とを有するものであり、前記接触用開口部が該ディスク収容凹部と該張出部の双方に跨って設けられたことを特徴とする請求項１に記載のディスク収納ケース。
【請求項５】
前記ディスクトレイに前記接触用開口部が設けられたものであり、
前記ディスクトレイは、前記記録媒体ディスクが嵌め込まれて収容される略円盤状のディスク収容凹部と、該ディスク収容凹部の外側に延在する張出部とを有するものであり、前記接触用開口部が該張出部にのみ設けられたことを特徴とする請求項１に記載のディスク収納ケース。
【請求項６】
前記ディスクトレイに前記接触用開口部が設けられたものであり、
前記ディスクトレイは、前記記録媒体ディスクが嵌め込まれて収容される略円盤状のディスク収容凹部を有するものであり、前記接触用開口部が該ディスク収容凹部にのみ設けられたことを特徴とする請求項１に記載のディスク収納ケース。
【請求項７】
前記ディスクトレイは、前記記録媒体ディスクが嵌め込まれて収容される略円盤状のディスク収容凹部と、該ディスク収容凹部の外側に延在する張出部とを有するものであり、該張出部に、前記インデックスを前記ケース半体側に押圧するリブ状突起が突設され、該リブ状突起の延在方向が、前記インデックスの出入方向に平行とされたことを特徴とする請求項１に記載のディスク収納ケース。
【請求項８】
前記ディスクトレイが嵌め込まれる前記ケース半体の前記インデックス出入口側に、前記インデックスの脱落を抑止するストッパが突設されたことを特徴とする請求項１に記載のディスク収納ケース。
【請求項９】
前記一対のケース半体の前記一端部及び／又は前記他端部は側壁がなく開口されて、該開口が前記インデックス出入口をなしており、
前記ディスクトレイの前記インデックス出入口側に、前記インデックスが出入可能な空隙を残して、前記ディスクトレイと前記インデックスとの隙間を部分的に閉じる壁部が設けられたことを特徴とする請求項１に記載のディスク収納ケース。
【請求項１０】
前記ディスクトレイは、前記記録媒体ディスクが嵌め込まれて収容される略円盤状のディスク収容凹部と、該ディスク収容凹部の外側に延在する張出部とからなるトレイ本体を有するものであり、
前記壁部は、前記トレイ本体から前記一対のケース半体のうち一方の側に向かう第１側壁と、該第１側壁から他方の側に向けて折り返された第２側壁とを有するものであることを特徴とする請求項９に記載のディスク収納ケース。
【請求項１１】
前記ディスクトレイは、前記記録媒体ディスクが嵌め込まれて収容される略円盤状のディスク収容凹部と、該ディスク収容凹部の外側に延在する張出部とを有し、該ディスクトレイが嵌め込まれる前記ケース半体の前記張出部の対向部分に前記接触用開口部が設けられたものであり、
前記ディスクトレイの該接触用開口部の対向部分に、少なくともインデックス出入時に、該ディスクトレイ側から該インデックスを支持する支持部が突設されたことを特徴とする請求項１に記載のディスク収納ケース。
【請求項１２】
前記ディスクトレイが嵌め込まれる前記ケース半体に前記接触用開口部が設けられたものであり、前記インデックスの該接触用開口部から露出する部分が、表面保護層により被覆されたものであることを特徴とする請求項１に記載のディスク収納ケース。
【請求項１３】
前記ディスクトレイが嵌め込まれる前記ケース半体、前記ディスクトレイ、及び前記インデックスのうち少なくとも一つに、前記インデックスの出入方向を示すマークが設けられたことを特徴とする請求項１に記載のディスク収納ケース。
【請求項１４】
前記一対のケース半体の前記一端部と前記他端部のうち一方にのみ前記インデックス出入口が設けられたものであり、
前記ディスクトレイが嵌め込まれる前記ケース半体及び／又は前記ディスクトレイに、前記インデックス出入口から挿入された前記インデックスの先端部を湾曲させて、前記一対のケース半体の側方から視認される副インデックス部をなすよう規制する湾曲面を有するインデックス案内部が設けられたことを特徴とする請求項１に記載のディスク収納ケース。
【請求項１５】
前記一対のケース半体の前記一端部及び／又は前記他端部は側壁がなく開口されて、該開口が前記インデックス出入口をなしており、
前記一対のケース半体のうち一方に回動自在に軸支され、前記インデックス出入口からの前記インデックスの出入を妨げることなく、前記インデックス出入口の少なくとも一部を閉じることが可能な回動蓋が取り付けられたことを特徴とする請求項１に記載のディスク収納ケース。
【請求項１６】
前記回動蓋及び前記一対のケース半体に、前記回動蓋を閉位置及び開位置に各々係止する係止手段が設けられたことを特徴とする請求項１５に記載のディスク収納ケース。
【請求項１７】
前記一対のケース半体は、一方が他方に回動自在に軸支されて互いに連結されたものであり、
前記インデックス出入口及び前記回動蓋が前記一対のケース半体の前記一端部に設けられ、かつ、前記一対のケース半体の開閉時の回動軸と前記回動蓋の回動軸とが同軸とされたことを特徴とする請求項１５に記載のディスク収納ケース。
【発明の詳細な説明】
【技術分野】
【０００１】
本発明は、ＣＤ、ＤＶＤ、ＢＤ等の記録媒体ディスクを収納するディスク収納ケースに係り、特にインデックスの出入構造に関するものである。
【背景技術】
【０００２】
ＣＤ（Compact Disc）、ＤＶＤ（Digital Versatile Disc）、ＢＤ（Blu-ray Disc）等の記録媒体ディスクを収納するディスク収納ケースとして、記録媒体ディスクを着脱自在に保持するディスクトレイと、このディスクトレイを収容する、一端部同士が互いに連結され、開閉自在な一対のケース半体とを有するものが広く用いられている（特許文献１）。
【０００３】
一般に、ディスクトレイを１個備えたタイプでは、ディスクトレイは一対のケース半体のうち裏側ケース半体に嵌め込まれ、表側ケース半体、裏側ケース半体の内面に各々、カード状やブックレット状の表側インデックス、裏側インデックスが取り付けられる。
【０００４】
記録媒体ディスクに情報を記録する際や、記録情報の書換えを実施する際などには、裏側インデックスの交換や記載内容の変更を実施することがある。裏側インデックスは、ディスクトレイとこれが嵌め込まれる裏側ケース半体との間に介挿されるため、従来、裏側インデックスの出入は、ディスクトレイを裏側ケース半体から取り外して行わざるを得ず、出入操作が面倒となっている。
【０００５】
かかる背景下、インデックスを取り付けず、ケース半体の外面に粗面化されたインデックス部を設け、鉛筆等によるインデックス部への記入及びその書換えを可能としたディスク収納ケースが開示されている（特許文献２）。
【特許文献１】特開平１０−１０６２０３号公報
【特許文献２】実用新案登録第３０９４２１４号公報
【発明の開示】
【発明が解決しようとする課題】
【０００６】
しかしながら、粗面化されたインデックス部への鉛筆等による記入及びその書換えでは、記載できる情報量に限度があり、美観性も良くない。
【０００７】
本発明はかかる事情に鑑みてなされたものであり、ケース半体からディスクトレイを取り外すことなく、ディスクトレイとこれが嵌め込まれるケース半体との間に介挿されるインデックスの出入を簡易に実施できるディスク収納ケースを提供することを目的とするものである。
【課題を解決するための手段】
【０００８】
本発明のディスク収納ケースは、記録媒体ディスクを着脱自在に保持するディスクトレイと、該ディスクトレイを収容する、一端部同士が互いに連結され、開閉自在な一対のケース半体とを備え、該一対のケース半体のうち少なくとも一方に前記ディスクトレイが嵌め込まれ、該ケース半体と該ディスクトレイとの間に、カード状又はブックレット状のインデックスが介挿されるディスク収納ケースにおいて、
前記一対のケース半体の前記一端部及び／又は他端部に、少なくともインデックス出入時に開口するインデックス出入口が設けられ、
前記ディスクトレイ及び／又は前記ディスクトレイが嵌め込まれる前記ケース半体に、前記インデックスに指又はインデックス摺動用部材を接触させて、該インデックスを出入するための接触用開口部が設けられたことを特徴とするものである。
【０００９】
本発明のディスク収納ケースの好適な態様としては、前記一対のケース半体のうち少なくとも一方は、前記一端部及び／又は前記他端部に側壁を有するものであり、前記インデックス出入口が該側壁に設けられたスリットであるものが挙げられる。
【００１０】
本発明のディスク収納ケースの好適な態様としては、前記ディスクトレイは、前記記録媒体ディスクが嵌め込まれて収容される略円盤状のディスク収容凹部と、該ディスク収容凹部の外側に延在する張出部とを有するものであり、該張出部に、前記インデックスを前記ケース半体側に押圧するリブ状突起が突設され、該リブ状突起の延在方向が、前記インデックスの出入方向に平行とされたものが挙げられる。
【００１１】
本発明のディスク収納ケースの好適な態様としては、前記ディスクトレイが嵌め込まれる前記ケース半体の前記インデックス出入口側に、前記インデックスの脱落を抑止するストッパが突設されたものが挙げられる。
【００１２】
本発明のディスク収納ケースの好適な態様としては、前記一対のケース半体の前記一端部及び／又は前記他端部は側壁がなく開口されて、該開口が前記インデックス出入口をなしており、前記ディスクトレイの前記インデックス出入口側に、前記インデックスが出入可能な空隙を残して、前記ディスクトレイと前記インデックスとの隙間を部分的に閉じる壁部が設けられたものが挙げられる。
【００１３】
本発明のディスク収納ケースの好適な態様としては、前記ディスクトレイは、前記記録媒体ディスクが嵌め込まれて収容される略円盤状のディスク収容凹部と、該ディスク収容凹部の外側に延在する張出部とを有し、該ディスクトレイが嵌め込まれる前記ケース半体の前記張出部の対向部分に前記接触用開口部が設けられたものであり、
前記ディスクトレイの該接触用開口部の対向部分に、少なくともインデックス出入時に、該ディスクトレイ側から該インデックスを支持する支持部が突設されたものが挙げられる。
【００１４】
本発明のディスク収納ケースの好適な態様としては、前記ディスクトレイが嵌め込まれる前記ケース半体に前記接触用開口部が設けられたものであり、前記インデックスの該接触用開口部から露出する部分が、表面保護層により被覆されたものが挙げられる。
【００１５】
本発明のディスク収納ケースの好適な態様としては、前記一対のケース半体の前記一端部と前記他端部のうち一方にのみ前記インデックス出入口が設けられたものであり、
前記ディスクトレイが嵌め込まれる前記ケース半体及び／又は前記ディスクトレイに、前記インデックス出入口から挿入された前記インデックスの先端部を湾曲させて、前記一対のケース半体の側方から視認される副インデックス部をなすよう規制する湾曲面を有するインデックス案内部が設けられたものが挙げられる。
【００１６】
本発明のディスク収納ケースの好適な態様としては、前記一対のケース半体のうち一方に回動自在に軸支され、前記インデックス出入口からの前記インデックスの出入を妨げることなく、前記インデックス出入口の少なくとも一部を閉じることが可能な回動蓋が取り付けられたものが挙げられる。
【発明の効果】
【００１７】
本発明のディスク収納ケースは、一対のケース半体の連結側及び／又は連結側と反対側の端部に、少なくともインデックス出入時に開口するインデックス出入口を設けると共に、ディスクトレイ及び／又はディスクトレイが嵌め込まれるケース半体に、インデックスに指又はインデックス摺動用部材を接触させて、インデックスを出入するための接触用開口部を設ける構成としている。
【００１８】
かかるディスク収納ケースでは、ディスクトレイをケース半体に装着したまま、ディスクトレイ及び／又はディスクトレイが嵌め込まれるケース半体に設けた接触用開口部から、指等をインデックスに接触させてインデックスを摺動させ、一対のケース半体の端部に設けたインデックス出入口からインデックスを出入することができる。したがって、ケース半体からディスクトレイを取り外すことなく、ディスクトレイとこれが嵌め込まれるケース半体との間に介挿されるインデックスの出入を簡易に実施できる。
【発明を実施するための最良の形態】
【００１９】
「第１実施形態」
図１〜図６を参照して、本発明に係る第１実施形態のディスク収納ケースについて説明する。本実施形態のディスク収納ケースは、ＣＤ（Compact Disc）、ＤＶＤ（Digital Versatile Disc）、ＢＤ（Blu-ray Disc）等の記録媒体ディスクを収納するケースである。本実施形態では、インデックスの出入構造等が特徴的である。
【００２０】
図１は閉状態の分解斜視図、図２（ａ）、（ｂ）は閉状態の斜視図（図２（ｂ）では表側ケース半体を省略）である。図３は開状態の上面図、図４は図３の底面図である。図５（ａ）は図３の正面図（背面図は同様であるので、省略）、図５（ｂ）は図３のV−V’断面図、図５（ｃ）は図５（ｂ）の部分拡大図（端部Ｆ）である。図６（ａ）は図３の左側面図、図６（ｂ）は図３の右側面図である。記録媒体ディスク及びインデックスについては適宜、図示を省略してある。
【００２１】
図１及び図２に示す如く、本実施形態のディスク収納ケース１は、記録媒体ディスク２を着脱自在に保持するディスクトレイ１０と、このディスクトレイ１０を収容する、開閉自在な表側ケース半体２０と裏側ケース半体３０とから概略構成されている。一対のケース半体２０、３０は、ディスクトレイ１０を介して互いに対向配置され、図示左奥の端部（一端部）同士が互いに連結されている。また、一対のケース半体のうち、裏側ケース半体３０にディスクトレイ１０が着脱自在に嵌め込まれている。
【００２２】
ディスクトレイ１０とこれを収納するケース半体２０、３０は、いずれも平面視略矩形状であり、これらは同一又は非同一の樹脂からなり、色や模様は任意である。ただし、少なくともケース半体２０、３０については、インデックスの視認性を考慮すれば、透光性を有することが好ましい。
【００２３】
表側ケース半体２０とディスクトレイ１０との間、及び裏側ケース半体３０とディスクトレイ１０との間に、各々、カード状又はブックレット状の表側インデックス４１、裏側インデックス４２が介挿されている。詳細については後記するが、本実施形態では、裏側インデックス４２が側方から出入自在な構成となっている。裏側インデックス４２の出入方向には符号Ｙを付してある。
【００２４】
インデックス４１、４２は制限なく、例えば、記録媒体ディスク２のタイトルや記録内容、写真、記録内容を書換え可能な欄等が印刷等されたものである。
【００２５】
表側ケース半体２０は、ディスクトレイ１０と対向する板状の本体２１と、裏側インデックス４２の出入方向Ｙに延在する一対の側壁２２とから概略構成され、一対の側壁２２はいずれも本体２１より幅広とされ、幅広部分が裏側ケース半体３０に連結される連結アーム２２ａとなっている。
【００２６】
裏側ケース半体３０は、ディスクトレイ１０と対向する板状の本体３１と、裏側インデックス４２の出入方向Ｙに延在する一対の側壁３２とから概略構成されている。ディスクトレイ１０に指を掛けて、裏側ケース半体３０からディスクトレイ１０を簡易に取り外すため、一対の側壁３２には各々、略中央部に切欠部３２ａが設けられている。
【００２７】
ケース半体２０、３０においては、表側ケース半体２０の側壁２２が、裏側ケース半体３０の側壁３２より外側に位置するよう、本体２１、３１の面積等が設計されており、裏側ケース半体３０が表側ケース半体２０の中に嵌め込まれるようになっている。
【００２８】
表側ケース半体２０をなす一対の連結アーム２２ａの内側に各々突起２２ｂが突設され、裏側ケース半体３０をなす一対の側壁３２の外側に各々、突起２２ｂの先端部が入り込む凹部３２ｂが設けられている。一対のケース半体２０、３０は、一対の突起２２ｂを回動軸として、表側ケース半体２０が裏側ケース半体３０に回動自在に軸支されて、一対のケース半体２０、３０の一端部同士（図示左奥端部）が開閉自在に連結されている。この端部を「連結側端部」と称すと共に符号Ｅを付し、連結側と反対側の端部（図示右手前端部、他端部）に符号Ｆを付す（図２（ａ）参照）。
【００２９】
ディスクトレイ１０は、記録媒体ディスク２が嵌め込まれて収容される略円盤状のディスク収容凹部１１と、ディスク収容凹部１１の外側に延在する張出部１２とを有するトレイ本体１３を主として構成されている。ディスク収容凹部１１の中央部には、記録媒体ディスク２の中央開口部側を着脱自在に保持するディスククランパ１１ａが設けられている。
【００３０】
一対のケース半体２０、３０の連結側に位置する張出部１２からは、表側ケース半体２０の側に向かう側壁１４ａと、この側壁１４ａに連設され、張出部１２の面に平行な平坦部１４ｂとからなる断面視略Ｌ字状部１４が延設されている。平坦部１４ｂは、一対のケース半体２０、３０の閉状態時に、表側ケース半体２０の本体２１と面一に、一対の連結アーム２２ａの間に収まるようになっている。図５（ｂ）、（ｃ）に示す如く、一対のケース半体２０、３０の連結側と反対側に位置する張出部１２からは、表側ケース半体２０の側に向かう側壁１５が、側壁１４ａに略対称的に延設されている。
【００３１】
（インデックスの出入構造）
以下、インデックスの装着態様と出入構造について説明する。
【００３２】
図３に示す如く、表側ケース半体２０をなす一対の側壁２２には各々、表側インデックス４１を掛止し保持する略半円状の掛止片２５が、本体２１の面に平行に３箇所ずつ突設されている。図１に示す如く、表側ケース半体２０の連結側端部Ｅは側壁がなく開口されており、表側インデックス４１を、表側ケース半体２０の本体２１と掛止片２５との間で摺動させて、側壁のない連結側端部Ｅから自在に出入できる構成となっている。表側インデックス４１の出入方向に符号Ｘを付してある。裏側ケース半体３０の端部Ｅには側壁３４が設けられており、ディスクトレイ１０の張出部１２には、掛止片２５が入り込む凹部１２ａが設けられている。
【００３３】
裏側ケース半体３０には、インデックスを掛止する掛止片はなく、図２（ｂ）及び図５（ｃ）に示す如く、裏側インデックス４２は裏側ケース半体３０の本体３１とディスクトレイ１０のディスク収容凹部１１との間の隙間に挿入されるようになっている。ディスクトレイ１０の張出部１２と裏側ケース半体３０の本体３１との間には空隙があるので、図５（ｂ）、（ｃ）に示す如く、ディスクトレイ１０の張出部１２には、裏側インデックス４２を裏側ケース半体３０側に押圧し、裏側インデックス４２を固定するリブ状突起１６が突設されている。図３に示す如く、リブ状突起１６は張出部１２に設けられた凹部１２ａの近傍に、計４箇所（四隅に）設けられている。
【００３４】
図５（ｃ）に示す如く、リブ状突起１６は、表側ケース半体２０側から裏側ケース半体３０側に向けて縮幅された台形状の板面１６ａを有する板状突起である。本実施形態では、リブ状突起１６の延在方向（板面１６ａの面方向）が裏側インデックス４２の出入方向Ｙに平行とされている。
【００３５】
本実施形態では、一対のケース半体２０、３０の連結側と反対側の端部Ｆに、ディスクトレイ１０とこれが嵌め込まれる裏側ケース半体３０との間に介挿される裏側インデックス４２を出入するためのインデックス出入口であるスリット５０が設けられている。
【００３６】
詳細には、図１及び図２に示す如く、裏側ケース半体３０の端部Ｆには側壁がなく開口されており、表側ケース半体２０の同端部には側壁２３が設けられている。この側壁２３は、裏側インデックス４２の出入方向Ｙに平行な側壁２２よりも低く設定されており、これによって、一対のケース半体２０、３０が閉状態において、側壁２３と裏側ケース半体３０の本体３１との間にスリット５０が形成されるようになっている。側壁２３の高さは、スリット５０の高さが裏側インデックス４２の厚みより大きくなるよう、かつ、ディスク収納ケース１内に外部から埃等が容易に入らないよう設計されている。
【００３７】
本実施形態では、ディスクトレイ１０に、裏側インデックス４２に指又はペン等のインデックス摺動用部材、好ましくは親指を接触させて、裏側インデックス４２を出入するための接触用開口部５１が設けられている。
【００３８】
接触用開口部５１は、裏側インデックス４２の出入側に２箇所設けられており、個々の接触用開口部５１はいずれも、ディスクトレイ１０のディスク収容凹部１１と張出部１２の双方に跨って設けられている。
【００３９】
本実施形態では、一対のケース半体２０、３０を開状態とし、記録媒体ディスク２を取り外した状態で、ディスクトレイ１０に設けられた接触用開口部５１から、指又はインデックス摺動用部材を裏側インデックス４２に接触させて、裏側インデックス４２を摺動させ、一対のケース半体２０、３０の連結側と反対側の端部Ｆに設けたスリット５０（インデックス出入口）から裏側インデックス４２を自在に出入することができる。
【００４０】
本実施形態ではさらに、図５（ｃ）及び図６（ｂ）に示す如く、ディスクトレイ１０が嵌め込まれる裏側ケース半体３０のインデックス出入側の端部Ｆに、裏側インデックス４２の脱落を抑止するストッパ３５が設けられている。ストッパ３５は、裏側ケース半体３０の本体３１の末端に突設された突条部であり、インデックス出入側から見て、中央部を外して左右両側に形成されている。ストッパ３５の形成領域に符号Ｓ１、Ｓ２を付してある。ストッパ３５は、裏側ケース半体３０の本体３１と一体に成形されている。
【００４１】
ストッパ３５の高さＨ１は、裏側インデックス４２の出入を大きく妨げることなく、裏側インデックス４２の脱落を良好に抑止できる範囲内で設計される。ストッパ３５の高さＨ１は、好ましくは、裏側インデックス４２の厚みＨ２より大きく、ディスクトレイ１０の張出部１２と裏側ケース半体３０の本体３１との離間距離Ｈ３より小さい範囲内とされる。
【００４２】
本実施形態のディスク収納ケース１は、以上のように構成されている。
【００４３】
本実施形態のディスク収納ケース１は、一対のケース半体２０、３０の連結側と反対側の端部Ｆに、インデックス出入口であるスリット５０を設け、ディスクトレイ１０に、裏側インデックス４２に指又はインデックス摺動用部材を接触させて、裏側インデックス４２を出入するための接触用開口部５１を設ける構成としている。
【００４４】
かかるディスク収納ケース１では、上記の如く、ディスクトレイ１０を裏側ケース半体３０に装着したまま、ディスクトレイ１０に設けた接触用開口部５１から、指等を裏側インデックス４２に接触させて、裏側インデックス４２を摺動させ、一対のケース半体２０、３０の端部Ｆに設けたスリット５０（インデックス出入口）から裏側インデックス４２を出入することができる。したがって、裏側ケース半体３０からディスクトレイ１０を取り外すことなく、ディスクトレイ１０とこれが嵌め込まれる裏側ケース半体３０との間に介挿される裏側インデックス４２の出入を簡易に実施できる。
【００４５】
さらに、本実施形態では、ディスクトレイ１０の張出部１２に設けられ、裏側インデックス４２を裏側ケース半体３０側に押圧するリブ状突起１６の延在方向を、裏側インデックス４２の出入方向Ｙに平行としている。この延在方向は、従来のディスク収納ケースにおけるリブ状突起の延在方向とは９０°ずれたものである。かかる構成では、図６（ｂ）に示す如く、インデックス出入側から見て、裏側インデックス４２のリブ状突起１６の下を通過する部分の幅が小さく、裏側インデックス４２の摺動がリブ状突起１６の存在によって妨げられる恐れがない。また、リブ状突起１６の延在方向に沿って裏側インデックス４２がスムーズに摺動する。このように、裏側インデックス４２がスムーズに摺動するので、裏側インデックス４２の出入をスムーズに実施できる。
【００４６】
さらに、本実施形態では、ディスクトレイ１０が嵌め込まれる裏側ケース半体３０の連結側と反対側の端部Ｆに、裏側インデックス４２の脱落を抑止するストッパ３５を突設する構成としているので、スリット５０（インデックス出入口）から裏側インデックス４２が脱落する恐れがなく、取扱い性も良好である。
【００４７】
特に、本実施形態では、裏側ケース半体３０の本体３１の末端全体に沿って、ストッパ３５を形成するのではなく、ストッパ３５を、インデックス出入側から見て、中央部を外して左右両側に部分形成する構成とした。かかる構成では、インデックス出入側から見て、中央部については、裏側インデックス４２がストッパ３５を乗り越えることなく、裏側インデックス４２を出入できる。したがって、ストッパ３５による裏側インデックス４２の脱落防止効果を充分に確保しつつ、裏側インデックス４２の出入がストッパ３５によって妨げられず、スムーズに実施でき、好ましい。
【００４８】
「第１実施形態の設計変更」
第１実施形態では、裏側ケース半体３０の連結側と反対側の端部Ｆに側壁を設けず、表側ケース半体２０の同端部Ｆに側壁２２より背の低い側壁２３を設けることで、側壁２３と裏側ケース半体３０の本体３１との間にインデックス出入口であるスリット５０を形成する構成とした。本発明はかかる構成に限らず、インデックス出入口の形成態様は適宜設計できる。例えば、図７に示す如く、表側ケース半体２０の端部Ｆに側壁２３を設けず、裏側ケース半体３０の端部Ｆに側壁３３を設け、この側壁３３にスリット５０を開口し、インデックス出入口としてもよい。
【００４９】
第１実施形態では、ディスクトレイ１０に設ける接触用開口部５１を、裏側インデックス４２の出入側に２箇所設け、個々の接触用開口部５１がディスクトレイ１０のディスク収容凹部１１と張出部１２の双方に跨るよう構成した。かかる構成では、２個の接触用開口部５１から両手の親指を裏側インデックス４２に接触させることができ、しかも接触用開口部５１の面積が比較的広く確保され、接触用開口部５１内で指を動かすことができるので、裏側インデックス４２が出入しやすく、好ましい。
【００５０】
ただし、接触用開口部５１の形成箇所・形状・形成個数は上記態様に限らず、適宜設計できる。図８に接触用開口部５１のその他の形成パターン例を示す。
【００５１】
図８（ａ）〜（ｃ）、（ｆ）は、接触用開口部５１をディスクトレイ１０の張出部１２にのみ設けた例である。これらの例では、ディスク収容凹部１１に接触用開口部５１が及んでいないので、記録媒体ディスク２をディスクトレイ１０に嵌め込んだまま、裏側インデックス４２の出入ができ、好ましい。
【００５２】
裏側インデックス４２が、裏側ケース半体３０の主面（本体３１の面）に対向配置される主インデックス部と、一対のケース半体２０、３０の連結側の側方から視認される副インデックス部（背表紙部）とを含む折曲状インデックスの場合、副インデックス部の出入容易性から、接触用開口部５１を、インデックス出入側とケース半体２０、３０の連結側の双方に設ける図８（ｃ）の例が好適である。図８（ｆ）の例では、接触用開口部５１のインデックス出入側が開いているので、裏側インデックス４２の端部を直接摘んで出入することができる。
【００５３】
図８（ｄ）、（ｅ）は、接触用開口部５１をディスクトレイ１０のディスク収容凹部１１にのみ設けた例である。これらの例では、記録媒体ディスク２の装着時には、接触用開口部５１が露出しないので、裏側インデックス４２が露出せず、インデックス保存性（耐汚れ性、耐腐食性等）が良好である。また、記録媒体ディスク２の装着時は接触用開口部５１が使用者に露出せず、開状態の外観が従来と同じであるので、美観が良好である。
【００５４】
接触用開口部５１を、ディスク収容凹部１１の出入側に１個のみ設ける図８（ｅ）の例では、充分なインデックス出入容易性を確保しつつ、接触用開口部５１の総開口面積を小さく抑えられるので、ディスクトレイ１０の強度を高めることができる。
【００５５】
また、図９（ａ）、（ｂ）に例示する如く、裏側インデックス４２の接触用開口部５１に対応する部分及び／又はディスクトレイ１０に、裏側インデックス４２の出入方向Ｙを示すマーク６０（例えば、矢印やＰＵＳＨ等の文字）を設ける構成とすることができる。かかる構成では、裏側インデックス４２の出入方向Ｙを、使用者が簡易に知見でき、好ましい。
【００５６】
第２実施形態等に示すように、接触用開口部は裏側ケース半体３０に設けることもできる。かかる構成では、裏側インデックス４２及び／又は裏側ケース半体３０にマーク６０を設ける構成とすればよい。
【００５７】
第１実施形態では、裏側ケース半体３０にのみディスクトレイ１０が嵌め込まれるタイプについてのみ言及した。本発明は、一対のケース半体２０、３０のうち少なくとも一方にディスクトレイ１０が嵌め込まれるディスク収納ケースに適用可能である。
【００５８】
「第２実施形態」
図１０及び図１１を参照して、本発明に係る第２実施形態のディスク収納ケースについて説明する。本実施形態のディスク収納ケースは第１実施形態と基本構成が同様であり、第１実施形態と同じ構成要素には同じ参照符号を付して、説明は省略する。図１０は閉状態の分解斜視図であり、図１１（ａ）、（ｂ）は閉状態の斜視図（図１１（ａ）は表側から見た図、図１１（ｂ）は裏側から見た図）である。
【００５９】
本実施形態のディスク収納ケース３は、第１実施形態と同様、裏側インデックス４２が、一対のケース半体２０、３０の連結側と反対側の端部Ｆに設けられたスリット（インデックス出入口）５０から出入自在とされている。すなわち、第１実施形態と同様、裏側ケース半体３０の端部Ｆには側壁がなく開口されており、表側ケース半体２０の同端部Ｆには側壁２３が設けられている。この側壁２３は、インデックス出入方向に平行な側壁２２よりも低く設定されており、これによって、一対のケース半体２０、３０が閉状態において、側壁２３と裏側ケース半体３０の本体３１との間にスリット５０が形成されるようになっている。
【００６０】
第１実施形態では接触用開口部をディスクトレイ１０に設ける構成とした。これに対して、本実施形態では、裏側ケース半体３０においてディスクトレイ１０の張出部１２に対向する部分に、裏側インデックス４２に指等を接触させるための接触用開口部５２が設けられている。この接触用開口部５２は、裏側ケース半体３０のインデックス出入側の末端から略半円状に切欠した形状を呈している。
【００６１】
本実施形態では、裏側インデックス４２の一部が、接触用開口部５２から常時露出する。そのため、図１１（ｂ）に示す如く、裏側インデックス４２は、接触用開口部５２から露出する部分が、表面保護層４２Ｓにより被覆されたものとなっている。
【００６２】
表面保護層４２Ｓは裏側インデックス４２の露出部分を保護し、汚れや傷付き（印刷の剥がれ等）等を抑えるものである。したがって、表面保護層４２Ｓは防汚性や耐擦傷性等を有するものが好ましく、具体的には、ポリエチレン、ポリプロピレン、ポリビニールクロライド、ポリスチレン等の樹脂を含むものが好ましい。かかる表面保護層４２Ｓは、例えば、（１）構成樹脂を含むコーティング液をディスペンス法等によりインデックス４２に塗布する、（２）表面保護層４２Ｓの平面形状（図示する例では、略半円状）に合わせて調製した構成樹脂のフィルムを、接着剤等を用いてインデックス４２に貼着する、（３）同様の構成樹脂のフィルムをラミネート法等によりインデックス４２に直接貼着する等により、形成することができる。
【００６３】
本実施形態のディスク収納ケース３は、以上のように構成されている。
【００６４】
本実施形態のディスク収納ケース３は、一対のケース半体２０、３０の連結側と反対側の端部Ｆに、裏側インデックス４２を出入するためのスリット（インデックス出入口）５０を設け、裏側ケース半体３０に、裏側インデックス４２に指等を接触させて、裏側インデックス４２を出入するための接触用開口部５２を設ける構成としている。
【００６５】
かかるディスク収納ケース３では、ディスクトレイ１０を裏側ケース半体３０に装着したまま、ディスクトレイ１０に設けた接触用開口部５２から指等を裏側インデックス４２に接触させて、裏側インデックス４２を摺動させ、一対のケース半体２０、３０の端部Ｆに設けたスリット（インデックス出入口）５０から裏側インデックス４２を自在に出入することができる。したがって、裏側ケース半体３０からディスクトレイ１０を取り外すことなく、ディスクトレイ１０とこれが嵌め込まれる裏側ケース半体３０との間に介挿される裏側インデックス４２の出入を簡易に実施できる。
【００６６】
第１実施形態では、裏側インデックス４２の出入を一対のケース半体２０、３０を開状態として実施する必要があるのに対し、本実施形態では、裏側インデックス４２の出入は、一対のケース半体２０、３０が開状態、閉状態のいずれにおいても実施できる。
【００６７】
さらに、本実施形態のディスク収納ケース３では、裏側インデックス４２の接触用開口部５２から露出する部分を表面保護層４２Ｓにより被覆する構成としているので、裏側インデックス４２の露出部分に汚れや傷等が付くことが抑制され、裏側インデックス４２の露出部分が良好に保護されたものとなる。
【００６８】
本実施形態では、表面保護層４２Ｓの形成領域を、接触用開口部５１の開口領域と一致させている。裏側インデックス４２は、少なくとも接触用開口部５２から露出する部分が表面保護層４２Ｓにより被覆されていれば、同様の効果が得られる。ただし、コストやインデックス書換えの自由度を考慮すれば、表面保護層４２Ｓは最小限の領域に形成することが好ましい。すなわち、表面保護層４２Ｓは、接触用開口部５２から露出する部分、及び裏側ケース半体３０内における裏側インデックス４２の多少の位置ずれによって露出する可能性のある近傍部分にのみ、形成することが好ましい。
【００６９】
「第２実施形態の設計変更」
第２実施形態では、第１実施形態と同様、裏側ケース半体３０の連結側と反対側の端部Ｆに側壁を設けず、表側ケース半体２０の同端部Ｆに側壁２２より背の低い側壁２３を設けることで、側壁２３と裏側ケース半体３０の本体３１との間にインデックス出入口であるスリット５０を形成する構成とした。本発明はかかる構成に限らず、インデックス出入口の形成態様は適宜設計できる。例えば、第１実施形態の設計変更と同様、図７に示した如く、表側ケース半体２０の端部Ｆに側壁２３を設けず、裏側ケース半体３０の端部Ｆに側壁３３を設け、この側壁３３にスリット５０を開口し、インデックス出入口としてもよい。
【００７０】
第２実施形態では、裏側ケース半体３０に、裏側ケース半体３０のインデックス出入側の末端から略半円状に切欠した形状の接触用開口部５２を１箇所設ける構成について説明した。接触用開口部５２の形成箇所・形状・形成個数は上記態様に限らず、適宜設計できる。例えば、図１２に示す如く、裏側ケース半体３０においてディスクトレイ１０の張出部１２に対向する部分に、接触用開口部５２を計２箇所設ける構成とすることができる。また、裏側ケース半体３０の接触用開口部５２に合わせて、第１実施形態で挙げたディスクトレイ１０の接触用開口部５１を設ける構成としてもよい。
【００７１】
第２実施形態では、裏側インデックス４２が非折曲状インデックスである場合について説明した。裏側インデックス４２は、裏側ケース半体３０の主面（本体３１の面）に対向配置される主インデックス部４２ａと、表側ケース半体２０の側壁２３に対向配置され、一対のケース半体２０、３０の連結側と反対側の側方から視認される副インデックス部４２ｂとを有する折曲状インデックスであってもよい。
【００７２】
図１３を参照して、裏側インデックス４２が上記副インデックス部４２ｂを有する場合の設計変更例について説明する。図１３（ａ）〜（ｃ）はディスク収納ケースの閉状態の厚み方向部分断面図である。
【００７３】
図１３（ａ）に示す如く、裏側インデックス４２が上記副インデックス部４２ｂを有する場合、副インデックス部４２ｂをインデックス出入口であるスリット５０から引き出して略９０°折曲し、表側ケース半体２０の側壁２３の外面２３ａに沿って配設することができる。かかる構成では、副インデックス部４２ｂがディスク収納ケース内に収容されていないので、第２実施形態と同様、一対のケース半体２０、３０を閉状態としたまま、裏側インデックス４２を出入することができる。
【００７４】
上記構成では、図１３（ｂ）に示す如く、表側ケース半体２０の本体２１の末端２１ａ及び裏側ケース半体３０の本体３１の末端３１ａを、側壁２３の外面２３ａから若干突出させて、これによって形成される空間部に副インデックス４２ｂを収容し、副インデックス４２ｂを保護する構成とすることが好ましい。
【００７５】
また、図１３（ｃ）に示す如く、表側ケース半体２０の側壁２３の本体２１側にさらにスリット５７を設け、副インデックス部４２ｂの先端部をさらに略９０°内側に折曲して、該部分をスリット５７に係入させる構成とすることが好ましい。かかる構成では、副インデックス部４２ｂの先端部が良好に固定され、副インデックス部４２ｂが側壁２３から離れることを抑制することができる。
【００７６】
副インデックス部４２ｂは、表側ケース半体２０の側壁２３の内面に沿って配設する構成としてもよい。かかる構成では、一対のケース半体２０、３０を開状態として、副インデックス部４２ｂをスリット５０から引き出してから、裏側インデックス４２を出入すればよい。
【００７７】
裏側インデックス４２は、上記の主インデックス部４２ａと、裏側ケース半体３０の側壁３４に対向配置され、一対のケース半体２０、３０の連結側の側方から視認される副インデックス部４２ｃとを有する折曲状インデックスであってもよい。
【００７８】
図１４を参照して、裏側インデックス４２が上記副インデックス部４２ｃを有する場合の設計変更例について説明する。図１４（ａ）、（ｂ）はディスク収納ケースの開状態の厚み方向部分断面図である。
【００７９】
図１４（ａ）、（ｂ）に示す如く、裏側インデックス４２が上記副インデックス部４２ｃを有する場合、ディスクトレイ１０の平坦部１４ｂの裏面に湾曲面１９ａを有する案内リブ１９を突設し、裏側ケース半体３０の本体３１と側壁３４とがなす角部に湾曲面３７ａを有する案内リブ３７を設ける構成とすることができる。案内リブ１９及び案内リブ３７は各々、側壁３４の面と平行な方向に複数組設けてもよい。案内リブ１９、３７は湾曲面１９ａ、３７ａ同士が互いに平行な関係にあり、湾曲面１９ａと湾曲面３７ａとの間には、裏側インデックス４２が挿入される湾曲したインデックス挿入空間部５８が形成されている。案内リブ１９、３７は、スリット５０（インデックス出入口）から挿入された裏側インデックス４２の先端部をなす副インデックス部４２ｃを湾曲するよう規制するインデックス案内部である。
【００８０】
案内リブ１９、３７を設け、裏側インデックス４２の副インデックス部４２ｃを湾曲させて挿入させることで、副インデックス部４２ｃの出入が容易となり、好ましい。案内リブ１９、３７はいずれか一方でも構わない。また、インデックス案内部はリブにも限らない。
【００８１】
図１３（ａ）〜（ｃ）、図１４（ａ）、（ｂ）に示した設計変更は、第１実施形態にも適用可能である。
【００８２】
「第３実施形態」
図１５〜図２１を参照して、本発明に係る第３実施形態のディスク収納ケースについて説明する。本実施形態のディスク収納ケースは第２実施形態と基本構成が同様であり、第２実施形態と同じ構成要素には同じ参照符号を付して、説明は省略する。
【００８３】
図１５は閉状態の分解斜視図、図１６は閉状態の斜視図、図１７は開状態の斜視図、図１８は開状態の上面図、図１９は図１８の底面図である。図２０（ａ）は図１８の正面図（背面図は同様であるので、省略）、図２０（ｂ）は図１８のXX−XX’断面図、図２０（ｃ）は図２０（ｂ）の部分拡大図（端部Ｆ）である。図２１（ａ）は図１８の左側面図、図２１（ｂ）は図１８の右側面図である。記録媒体ディスク及びインデックスについては適宜、図示を省略してある。
【００８４】
第１、第２実施形態では、一対のケース半体２０、３０のうち一方が、連結側と反対側の端部Ｆに側壁を有する構成とし、該側壁にインデックス出入口であるスリットを設ける構成とした。これに対して、本実施形態のディスク収納ケース４では、図１５及び図１７に示す如く、一対のケース半体２０、３０の連結側と反対側の端部Ｆは、いずれも側壁がなく開口されており、この開口が表側インデックス４１と裏側インデックス４２の双方が出入自在なインデックス出入口５３をなしている。
【００８５】
一対のケース半体２０、３０のインデックス出入側の端部Ｆは、いずれも側壁がなく開口されているので、図１５〜１７及び図２０に示す如く、本実施形態では、ディスク収納ケース４内に埃等が容易に入らないよう、ディスクトレイ１０の端部Ｆに、ディスクトレイ１０の張出部１２と裏側インデックス４２との隙間を部分的に閉じる壁部１８が設けられている。
【００８６】
図２０に示す如く、本実施形態における壁部１８は、トレイ本体１３の張出部１２から表側ケース半体２０の側に向かう第１側壁１８ａと、第１側壁１８ａから裏側ケース半体３０の側に向けて折り返された第２側壁１８ｂとの壁群からなっている。第１側壁１８ａは、連結側端部Ｅの側壁１４ａと略対称的に設けられている。第２側壁１８ｂは、第１側壁１８ａより壁高さが大きく、裏側ケース半体３０の本体３１の近傍まで及んでいる。
【００８７】
図２０及び図２１に示す如く、壁部１８の下端（第２側壁１８ｂの下端に相当）は、裏側ケース半体３０との間に、裏側インデックス４２を出入可能なスリット状の空隙５４を残す位置に設定されている。詳細については後記するが、裏側ケース半体３０の末端には、ストッパ３６が突設されているので、第２側壁１８ｂとストッパ３６との離間距離が、裏側インデックス４２の厚みより大きく設定され、裏側インデックス４２を出入可能な空隙５４が確保されている。
【００８８】
図１６に示す如く、壁部１８の上端（側壁の折り返し部分）と表側ケース半体２０との間には、表側インデックス４１を出入するための空隙を残しておく必要はない。一対のケース半体２０、３０が開状態では、表側ケース半体２０とディスクトレイ１０の壁部１８とは大きく離間し、表側インデックス４１を出入するための充分な空間が必然的に現れるからである。ディスク収納ケース４内への埃等の侵入抑制を考慮すれば、一対のケース半体２０、３０が閉状態において、壁部１８の上端が表側ケース半体２０の本体２１に略当接する構成が好ましい。
【００８９】
本実施形態では、図１５及び図２０に示す如く、第２実施形態と同様、裏側ケース半体３０においてディスクトレイ１０の張出部１２に対向する部分に、裏側ケース半体３０の外側から、裏側インデックス４２に指等を接触させて、裏側インデックス４２を出入するための接触用開口部５２が設けられている。この接触用開口部５２は、裏側ケース半体３０のインデックス出入側の末端から略半円状に切欠した形状を呈している。
【００９０】
さらに、ディスクトレイ１０の接触用開口部５２の対向部分に、裏側インデックス出入時に、ディスクトレイ１０側から裏側インデックス４２を支持する支持部１７が突設されている。支持部１７は、平面視略矩形状のエンボス状凹部からなり、支持部１７の下面が、裏側インデックス４２に近接するよう、高さが設計されている。
【００９１】
本実施形態において、表側インデックス４１については、一対のケース半体２０、３０を開状態として、表側ケース半体２０とディスクトレイ１０の壁部１８とを離間させた状態で、表側インデックス４１を摺動させることで、側壁のない連結側と反対側の端部Ｆから自在に出入することができる。
【００９２】
裏側インデックス４２については、ディスクトレイ１０を裏側ケース半体３０に取り付けたまま、裏側ケース半体３０に設けた接触用開口部５２から指等を裏側インデックス４２に接触させて、裏側インデックス４２を摺動させ、端部Ｆの上記空隙５４から出入することができる。裏側インデックス４２の出入は、一対のケース半体２０、３０が開状態、閉状態のいずれにおいても実施できる。
【００９３】
本実施形態では、端部Ｆから表側インデックス４１と裏側インデックス４２の双方が出入自在であるので、図１５及び図１７に示す如く、一対のケース半体２０、３０の本体２１、３１に、各々、表側インデックス４１、裏側インデックス４２の脱落を抑制するストッパ２６、３６が突設されている。
【００９４】
ストッパ２６は、インデックス出入側から見て、中央部を外して左右両側に比較的幅広に形成されている。ストッパ２６は、ディスクトレイ１０の壁部１８に接しないよう、表側ケース半体２０の末端より内側に設けられている。ストッパ３６は、裏側ケース半体３０の末端に、接触用開口部５２に隣接して、小さな突起状に２箇所設けられている。ストッパ２６、３６の高さは、インデックス４１、４２の出入を大きく妨げることなく、インデックス４１、４２の脱落を良好に抑止できる範囲内で適宜設計される。また、形成箇所・形状・寸法は、図示するものに限定されず、適宜設計される。
【００９５】
本実施形態のディスク収納ケース４は、以上のように構成されている。
【００９６】
本実施形態のディスク収納ケース４は、一対のケース半体２０、３０の双方について、連結側と反対側の端部Ｆに側壁を設けず開口させて、この開口をインデックス４１、４２を出入自在なインデックス出入口５３としている。また、裏側ケース半体３０に、裏側インデックス４２に指等を接触させて、裏側インデックス４２を出入するための接触用開口部５２を設ける構成としている。
【００９７】
かかるディスク収納ケース４では、ディスクトレイ１０を裏側ケース半体３０に装着したまま、裏側ケース半体３０に設けた接触用開口部５２から指等を裏側インデックス４２に接触させて、裏側インデックス４２を摺動させ、側壁のない一対のケース半体２０、３０の端部Ｆから裏側インデックス４２を出入することができる。したがって、裏側ケース半体３０からディスクトレイ１０を取り外すことなく、ディスクトレイ１０とこれが嵌め込まれる裏側ケース半体３０との間に介挿される裏側インデックス４２の出入を簡易に実施できる。
【００９８】
本実施形態では、一対のケース半体２０、３０の双方について、連結側と反対側の端部Ｆに側壁を設けず開口させる構成としているので、上記の如く、裏側インデックス４２のみならず、表側インデックス４１についても、一対のケース半体２０、３０の連結側と反対側の端部Ｆから出入可能である。連結側端部Ｅからの出入では、一対のケース半体２０、３０の連結部分の隙間を通して、表側インデックス４１を出入する必要がある。これに対して、本実施形態では、裏側ケース半体３０が連結されていない、完全にオープンな側からの出入となるので、表側インデックス４１の出入も容易であり、好ましい。
【００９９】
このように、本実施形態では、表側インデックス４１についても、連結側と反対側の端部Ｆから出入でき、好ましいが、表側ケース半体２０については、連結側端部Ｅも側壁がなく開口されているので、表側インデックス４１は、連結側端部Ｅから出入することも可能である。
【０１００】
さらに、本実施形態では、ディスクトレイ１０のインデックス出入側の端部Ｆに、裏側インデックス４２を出入するための空隙５４を残して、ディスクトレイ１０と裏側インデックス４２との隙間を部分的に閉じる壁部１８を設ける構成としている。したがって、ディスクトレイ１０と裏側ケース半体３０との間に介挿される裏側インデックス４２と、表側インデックス４１の双方の出入容易性を確保しつつ、ディスク収納ケース４内への埃等の侵入を抑制することができる。
【０１０１】
また、単に、裏側ケース半体３０の張出部１２の対向部分に接触用開口部５２を設けた場合、裏側インデックス４２の接触側と反対側の面がディスクトレイ１０から浮いた状態となり、接触側から見て後ろに支えがないため、裏側インデックス４２の摺動が不安定となる恐れがある。しかしながら、本実施形態では、ディスクトレイ１０の接触用開口部５２の対向部分に支持部１７を突設する構成としているので、接触側から見て裏側インデックス４２の後ろ側が支持部１７によって支えられ、裏側インデックス４２の摺動が安定化され、裏側インデックス４２をスムーズに出入することができる。
【０１０２】
「第３実施形態の設計変更」
第３実施形態では、ディスクトレイ１０に、トレイ本体１３から表側ケース半体２０の側に向かう第１側壁１８ａと、第１側壁１８ａから裏側ケース半体３０の側に向けて折り返された第２側壁１８ｂとからなる壁部１８を設ける構成についてのみ説明した。本発明はかかる構成に限らず、壁部１８は、裏側インデックス４２を出入可能な空隙５４を残して、ディスクトレイ１０と裏側インデックス４２との隙間を部分的に閉じるものであればよく、壁部１８を構成する側壁の数や形状等は適宜設計変更できる。例えば、トレイ本体１３から裏側ケース半体３０の側に向かう第１側壁と、この第１側壁から表側ケース半体２０の側に向けて折り返された第２側壁とからなる構造（側壁の折り返し構造が上記実施形態とは逆）とすることができる。
【０１０３】
裏側ケース半体３０に設ける接触用開口部５２の形成箇所・形状・個数については、適宜設計変更できる。接触用開口部は第１実施形態と同様、ディスクトレイ１０に設ける構成としてもよい。接触用開口部は、裏側ケース半体３０とディスクトレイ１０の双方に設けることもできる。
【０１０４】
「第４実施形態」
図２２〜図２６を参照して、本発明に係る第４実施形態のディスク収納ケースについて説明する。本実施形態のディスク収納ケースは第３実施形態と基本構成が同様であり、第３実施形態と同じ構成要素には同じ参照符号を付して、説明は省略する。
【０１０５】
図２２は閉状態の分解斜視図、図２３は開状態の部分上面図である。図２２では、図示手前側が一対のケース半体２０、３０の連結側の端部（一端部）Ｅであり、図示奥側がその反対側の端部（他端部）Ｆである。図２４（ａ）〜（ｄ）は後記回動蓋７０の動作を示す図であり、図２３のXXIV−XXIV’部分断面図に相当する。図２５は図２３のXXV−XXV’部分断面図である。図２６（ａ）、（ｂ）は回動蓋７０の閉位置及び開位置における後記端壁７４側の側面図である。記録媒体ディスク及びインデックスについては適宜、図示を省略してある。
【０１０６】
第３実施形態では、一対のケース半体２０、３０の連結側と反対側の端部Ｆにはいずれも側壁を設けず開口させ、この開口が表側インデックス４１と裏側インデックス４２の双方を出入するインデックス出入口５３をなす構成とした。また、第３実施形態では、ディスク収納ケース内に埃等が容易に入らないよう、ディスクトレイ１０の端部Ｆに、ディスクトレイ１０と裏側インデックス４２との隙間を部分的に閉じる壁部１８を設ける構成とした。
【０１０７】
これに対して、本実施形態のディスク収納ケース５では、図２２に示す如く、一対のケース半体２０、３０の連結側端部Ｅにいずれも側壁を設けず開口させ、この開口が裏側インデックス４２を出入するインデックス出入口５５をなしている。また、本実施形態では、ディスク収納ケース５内に埃等が入ることを抑制するために、ディスクトレイ１０に上記壁部１８を設ける代わりに、表側ケース半体２０の内側に回動自在に軸支され、インデックス出入口５５からの裏側インデックス４２の出入を妨げることなく、インデックス出入口５５の少なくとも一部を閉じることが可能な回動蓋７０を取り付ける構成としている。本実施形態では、回動蓋７０の回動軸は、一対のケース半体２０、３０の開閉時の回動軸Ｌと同軸とされている。
【０１０８】
本実施形態では、一対のケース半体２０、３０の連結側と反対側の端部Ｆに各々側壁２３、３３が設けられている。一対のケース半体２０、３０の閉状態においては、表側ケース半体２０の側壁２３が裏側ケース半体３０の側壁３３の外側に重なって、裏側ケース半体３０が表側ケース半体２０の内側に嵌め込まれる。
【０１０９】
回動蓋７０は、ディスク収納ケース５の閉状態時に表側ケース半体２０の本体２１と面一に一対の連結アーム２２ａの間に収まる上板７１と、この上板７１に略直角に連設され、ディスク収納ケース５の閉状態時に裏側ケース半体３０の側壁３３と対向配置され、インデックス出入口５５を閉じる側板７２と、上板７１及び側板７２からなる断面視曲尺状部７３の両端に各々設けられた一対の略扇形状の端壁７４とから概略構成されている。本実施形態では、回動蓋７０が上記上板７１を有しているので、ディスクトレイ１０に図１５等に示した平坦部１４ｂは設けられていない。
【０１１０】
図２４に示す如く、本実施形態において、裏側インデックス４２は、裏側ケース半体３０の主面（本体３１の面）に対向配置される主インデックス部４２ａと、一対のケース半体２０、３０の連結側の側方から視認される副インデックス部４２ｃとを有する折曲状インデックスである。副インデックス部４２ｃは回動蓋７０の側板７２の内面に沿って収容される。
【０１１１】
一対のケース半体２０、３０の閉状態においては、一対の端壁７４が裏側ケース半体３０の一対の側壁３２の内側に重なって、回動蓋７０が裏側ケース半体３０の内側に嵌め込まれる。すなわち、図２５に示す如く、一対のケース半体２０、３０の閉状態においては、表側ケース半体２０の内側に裏側ケース半体３０が嵌め込まれ、裏側ケース半体３０の内側に回動蓋７０が嵌め込まれる。
【０１１２】
本実施形態では、裏側ケース半体３０をなす一対の側壁３２には、外側に各々突起３２ｃが突設され、内側に各々突起３２ｄが突設されている。突起３２ｃと突起３２ｄとは同軸上に配置されている。表側ケース半体２０をなす一対の連結アーム２２ａには各々、突起３２ｃが入り込む貫通孔２２ｃが設けられ、回動蓋７０をなす一対の端壁７４には各々、突起３２ｄが入り込む貫通孔７４ａが設けられている。一対の突起３２ｃを回動軸として、表側ケース半体２０が裏側ケース半体３０に回動自在に軸支されている。また、一対の突起３２ｄを回動軸として、回動蓋７０が裏側ケース半体３０に回動自在に軸支されている。
【０１１３】
本実施形態では、裏側ケース半体３０のインデックス出入口５５側に、接触用開口部５２が設けられている。接触用開口部５２は、裏側ケース半体３０の連結側端部Ｅの略中央部に設けられている。接触用開口部５２の形状は第３実施形態と同様である。
【０１１４】
図２４に基づいて、回動蓋７０の開閉による位置変化と裏側インデックス４２の出入方法について説明する。
【０１１５】
図２４（ａ）に示す如く、回動蓋７０は、閉位置では、上板７１が表側ケース半体２０の本体２１と面一に配置され、側板７２が裏側ケース半体３０の側壁３３と対向する位置に配置される。閉状態では、裏側インデックス４２の副インデックス部４２ｃは側板７２の内側に収容される。
【０１１６】
回動蓋７０が図２４（ｂ）に示すように反時計方向に回動されて図２４（ｃ）の開位置に達すると、側板７２が上記閉位置における上板７１の位置に移り、上板７１が裏側ケース半体３０の側壁３３と対向する位置に移る。開状態では、回動蓋７０の上板７１が裏側インデックス４２の副インデックス部４２ｃの内側に入り込んで、副インデックス部４２ｃが露出する。
【０１１７】
本実施形態では、図２４（ｃ）、（ｄ）に示す如く、上板７１の高さが側板７２の高さより低く設定されており、回動蓋７０が開位置にある時には、回動蓋７０と裏側ケース半体３０の本体３１との間に、裏側インデックス４２を出入可能なスリット状の空隙５６が形成されるようになっている。
【０１１８】
本実施形態では、回動蓋７０及び裏側ケース半体３０に、回動蓋７０を図２４（ａ）の閉位置及び図２４（ｃ）の開位置に各々係止する係止手段が設けられている。具体的には、図２６に示す如く、回動蓋７０の一対の端壁７４の外面に各々、２個の係合突起７５、７６が垂設されていると共に、裏側ケース半体３０の一対の側壁３２の一対の端壁７４の対向部分に各々、係合突起７５、７６が係入される係止溝３２ｅが形成されている。
【０１１９】
係合突起７５、７６は側板７２の面に平行な方向に配列されている。図２６（ａ）に示す閉位置の係合突起７５、７６と、図２６（ｂ）に示す開位置の係合突起７５、７６とがいずれも係止溝３２ｅ内に係入され、かつ位置が固定された係止溝３２ｅ内を係合突起７５、７６が滑らかに相対摺動するよう、係止溝３２ｅは曲尺状に形成されている。
【０１２０】
図２４（ｄ）に示す如く、裏側ケース半体３０に設けられた接触用開口部５２から、裏側インデックス４２の主インデックス部４２ａに指等を接触させて、裏側インデックス４２を摺動させて、スリット状の空隙５６から引き出すことで、裏側インデックス４２を取り出すことができる。本実施形態では、回動蓋７０の回動によって、副インデックス部４２ｃをディスク収納ケース５の外側に露出させることができるので、副インデックス部４２ｃの取出しも容易である。
【０１２１】
裏側インデックス４２の挿入は上記と逆の操作を行えばよい。
【０１２２】
本実施形態のディスク収納ケース５は、以上のように構成されている。本実施形態のディスク収納ケース５は、一対のケース半体２０、３０の双方について連結側端部Ｅに側壁を設けず開口させて、この開口を裏側インデックス４２を出入自在なインデックス出入口５５としている。また、裏側ケース半体３０に、裏側インデックス４２に指等を接触させて、裏側インデックス４２を出入するための接触用開口部５２を設ける構成としている。
【０１２３】
かかるディスク収納ケース５では、ディスクトレイ１０を裏側ケース半体３０に装着したまま、裏側ケース半体３０に設けた接触用開口部５２から指等を裏側インデックス４２に接触させて、裏側インデックス４２を摺動させ、側壁のない一対のケース半体２０、３０の端部Ｅから裏側インデックス４２を出入することができる。したがって、裏側ケース半体３０からディスクトレイ１０を取り外すことなく、ディスクトレイ１０とこれが嵌め込まれる裏側ケース半体３０との間に介挿される裏側インデックス４２の出入を簡易に実施できる。
【０１２４】
さらに、本実施形態では、ディスクトレイ１０のインデックス出入側の端部Ｅに、インデックス出入口５５からの裏側インデックス４２の出入を妨げることなく、インデックス出入口５５の少なくとも一部を閉じることが可能な回動蓋７０を設ける構成としている。したがって、裏側インデックス４２の出入容易性を確保しつつ、ディスク収納ケース５内への埃等の侵入を抑制することができる。
【０１２５】
本実施形態ではまた、回動蓋７０及び一対のケース半体２０、３０に、回動蓋７０を閉位置及び開位置に各々係止する係止手段（係合突起７５、７６及び係止溝３２ｅ）を設ける構成としているので、回動蓋７０が閉位置と開位置のいずれにおいても、回動蓋７０が一対のケース半体２０、３０に良好に固定される。かかる構成では、通常使用においては、裏側インデックス４２が回動蓋７０から外側に飛び出すことが抑制されて、裏側インデックス４２が良好にディスク収納ケース５内に収容される。また、裏側インデックス４２の出入時には、裏側インデックス４２を出入する空隙５６が良好に確保され、裏側インデックス４２の出入が安定的に実施できる。
【産業上の利用可能性】
【０１２６】
本発明は、ＣＤ、ＤＶＤ、ＢＤ等の記録媒体ディスクを収納するディスク収納ケースとして、好ましく利用できる。
【図面の簡単な説明】
【０１２７】
【図１】本発明に係る第１実施形態のディスク収納ケースの閉状態の分解斜視図
【図２】（ａ）、（ｂ）は図１のディスク収納ケースの閉状態の斜視図
【図３】図１のディスク収納ケースの開状態の上面図
【図４】図３の底面図
【図５】（ａ）は図３の正面図、（ｂ）は図３のV−V’断面図、（ｃ）は（ｂ）の部分拡大図
【図６】（ａ）は図３の左側面図、（ｂ）は図３の右側面図
【図７】第１実施形態のディスク収納ケースの設計変更例を示す斜視図
【図８】（ａ）〜（ｆ）は、第１実施形態のディスク収納ケースの設計変更例を示す斜視図
【図９】（ａ）、（ｂ）は、第１実施形態のディスク収納ケースの設計変更例を示す斜視図
【図１０】本発明に係る第２実施形態のディスク収納ケースの閉状態の分解斜視図
【図１１】（ａ）、（ｂ）は図１０のディスク収納ケースの閉状態の斜視図
【図１２】第２実施形態のディスク収納ケースの設計変更例を示す斜視図
【図１３】（ａ）〜（ｃ）は、第２実施形態のディスク収納ケースの設計変更例を示す断面図
【図１４】（ａ）、（ｂ）は、第２実施形態のディスク収納ケースの設計変更例を示す断面図
【図１５】本発明に係る第３実施形態のディスク収納ケースの閉状態の分解斜視図
【図１６】図１５のディスク収納ケースの閉状態の斜視図
【図１７】図１５のディスク収納ケースの開状態の斜視図
【図１８】図１５のディスク収納ケースの開状態の上面図
【図１９】図１８の底面図
【図２０】（ａ）は図１８の正面図、（ｂ）は図１８のXX−XX’断面図、（ｃ）は（ｂ）の部分拡大図
【図２１】（ａ）は図１８の左側面図、（ｂ）は図１８の右側面図
【図２２】本発明に係る第４実施形態のディスク収納ケースの閉状態の分解斜視図
【図２３】図２２のディスク収納ケースの部分上面図
【図２４】（ａ）〜（ｄ）は図２２のディスク収納ケースの回動蓋の動作を示す部分断面図
【図２５】図２３のXXV−XXV’部分断面図
【図２６】（ａ）、（ｂ）は図２２のディスク収納ケースの回動蓋の閉位置及び開位置における端壁側の側面図
【符号の説明】
【０１２８】
１、３、４、５  ディスク収納ケース
２  記録媒体ディスク
１０  ディスクトレイ
１１  ディスク収容凹部
１２  張出部
１３  トレイ本体
１６  リブ状突起
１６ａ  リブ状突起の板面
１７  支持部
１８  壁部
１８ａ  第１側壁
１８ｂ  第２側壁
１９  案内リブ（インデックス案内部）
１９ａ  湾曲面
２０、３０  ケース半体
２２、２３、３２、３３、３４  側壁
２３ａ  側壁の外面
３２ｅ  係止溝（係止手段）
３５、３６  ストッパ
３７  案内リブ（インデックス案内部）
３７ａ  湾曲面
４１、４２  インデックス
４２ａ  主インデックス部
４２ｂ、４２ｃ  副インデックス部
４２Ｓ  表面保護層
５０  スリット（インデックス出入口）
５１、５２  接触用開口部
５３、５５  インデックス出入口
５４、５６  空隙
６０  マーク
７０  回動蓋
７５、７６  係合突起（係止手段）
Ｅ  連結側端部（一端部）
Ｆ  連結側と反対側の端部（他端部）
Ｈ１  ストッパの高さ
Ｓ１、Ｓ２  ストッパの形成領域
Ｌ  回動軸
【図１】
2006240737.tif 000003
【図２】
2006240737.tif 000004
【図３】
2006240737.tif 000005
【図４】
2006240737.tif 000006
【図５】
2006240737.tif 000007
【図６】
2006240737.tif 000008
【図７】
2006240737.tif 000009
【図８】
2006240737.tif 000010
【図９】
2006240737.tif 000011
【図１０】
2006240737.tif 000012
【図１１】
2006240737.tif 000013
【図１２】
2006240737.tif 000014
【図１３】
2006240737.tif 000015
【図１４】
2006240737.tif 000016
【図１５】
2006240737.tif 000017
【図１６】
2006240737.tif 000018
【図１７】
2006240737.tif 000019
【図１８】
2006240737.tif 000020
【図１９】
2006240737.tif 000021
【図２０】
2006240737.tif 000022
【図２１】
2006240737.tif 000023
【図２２】
2006240737.tif 000024
【図２３】
2006240737.tif 000025
【図２４】
2006240737.tif 000026
【図２５】
2006240737.tif 000027
【図２６】
2006240737.tif 000028